(57)【要約】【目的】  コンテンツが記録されているＲＯＭ領域を有する記録媒体とバージョンアップ分のコンテンツ（バージョンアップコンテンツ）が記録されている他の記録媒体とを関連付けることができるようにする。【構成】  情報処理装置１のＣＰＵ１０は、コンテンツ導入用ハイブリッド記録媒体２のＲＯＭ領域の拡張であることを示すＲＯＭ領域識別子、それぞれ異なるバージョンのバージョンアップコンテンツとそのバージョンアップコンテンツを導入するための手順を実行させるための第２の導入プログラムとからなる複数のコンテンツ記録フォルダ、およびその各コンテンツ記録フォルダのバージョンアップコンテンツのバージョンをそれぞれ示す各記録バージョン情報を第２の記録媒体３（他の記録媒体）に記録する。【選択図】        図２
2005165903.tif 000002
【特許請求の範囲】
【請求項１】
プログラム又はデータのコンテンツと、コンピュータに前記コンテンツをバージョンアップするためのバージョンアップコンテンツを他の記録媒体に記録する手順を実行させるためのコンテンツ記録プログラムと、前記コンピュータに前記コンテンツを前記バージョンアップコンテンツによってバージョンアップする手順を実行させるためのバージョンアッププログラムと、前記コンピュータに前記コンテンツを導入するための手順を実行させるための第１の導入プログラムとが記録されたコンピュータ読み取り可能な記録媒体であって、
前記コンテンツ記録プログラムが、前記コンピュータに、前記バージョンアップコンテンツの他に、前記記録媒体の記録領域の拡張であることを示す領域識別情報、前記バージョンアップコンテンツのバージョンを示すバージョン情報、および前記バージョンアップコンテンツを導入するための手順を実行させるための第２の導入プログラムを前記他の記録媒体に記録する手順を実行させるためのプログラムであることを特徴とするコンピュータ読み取り可能な記録媒体。
【請求項２】
請求項１記載のコンピュータ読み取り可能な記録媒体において、
前記領域識別情報は、当該記録媒体と関連付けされた特定情報であることを特徴とするコンピュータ読み取り可能な記録媒体。
【請求項３】
プログラム又はデータのコンテンツと、コンピュータに前記コンテンツをバージョンアップするためのバージョンアップコンテンツを他の記録媒体に記録する手順を実行させるためのコンテンツ記録プログラムと、前記コンピュータに前記コンテンツを前記バージョンアップコンテンツによってバージョンアップする手順を実行させるためのバージョンアッププログラムと、前記コンピュータに前記コンテンツを導入するための手順を実行させるための第１の導入プログラムとが記録されたコンピュータ読み取り可能な記録媒体であって、
前記コンテンツ記録プログラムが、前記コンピュータに、前記記録媒体の記録領域の拡張であることを示す領域識別情報、それぞれ異なるバージョンの前記バージョンアップコンテンツと該バージョンアップコンテンツを導入するための手順を実行させるための第２の導入プログラムとからなる複数のコンテンツ記録フォルダ、およびその各コンテンツ記録フォルダのバージョンアップコンテンツのバージョンをそれぞれ示す各バージョン情報を前記他の記録媒体に記録する手順を実行させるためのプログラムであることを特徴とするコンピュータ読み取り可能な記録媒体。
【請求項４】
請求項３記載のコンピュータ読み取り可能な記録媒体において、
前記領域識別情報は、当該記録媒体と関連付けされた特定情報であることを特徴とするコンピュータ読み取り可能な記録媒体。
【請求項５】
請求項３又は４記載のコンピュータ読み取り可能な記録媒体において、
前記各バージョン情報はそれぞれ、対応するコンテンツ記録フォルダのバージョンアップコンテンツのバージョンを示すバージョン番号と該コンテンツ記録フォルダの名称とからなることを特徴とするコンピュータ読み取り可能な記録媒体。
【発明の詳細な説明】
【技術分野】
【０００１】
この発明は、ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，ＤＶＤ−ＲＡＭ等のコンピュータ読み取り可能な記録媒体に関する。
【背景技術】
【０００２】
パーソナルコンピュータ等の情報処理装置で利用するソフトウェア（プログラム）やデータのコンテンツは、プリライト若しくはスタンパで形成される記録済み領域（読み出し専用領域であり、「ＲＯＭ領域」と呼ぶ）のみを有するＣＤ−ＲＯＭ又はＤＶＤ−ＲＯＭの形態で提供されるのが一般的である。また、インタネットの普及に伴ない、コンテンツのバージョンアップはコンテンツ提供者のホームページからインタネット経由でバージョンアップ用のコンテンツ（バージョンアップコンテンツ）をダウンロードする方法が一般的になっている。つまり、利用者がコンテンツを導入した後に発生するコンテンツのバージョンアップは、コンテンツ提供者は自分のホームページにバージョンアップ用のコンテンツを提供し、利用者は必要に応じてコンテンツ提供者のホームページにインタネット接続し、バージョンアップ用のコンテンツをダウンロードすることにより、容易にコンテンツをバージョンアップできるようになった。
【０００３】
しかし、ここでバージョンアップされるのは情報処理装置内の記録媒体（パーソナルコンピュータのハードディスクに代表される）に導入されているコンテンツが対象となっている。
一方、情報処理装置を買い替える場合やコンテンツを再導入する必要が発生した場合、利用者は利用者が所有する「古い」バージョンのコンテンツを導入し、その後、更にインタネット接続してバージョンアップ用のコンテンツをダウンロードして最新のバージョンにしなければならず、利用者にとっては時間と手間がかかるという不都合があった。
【０００４】
そこで、このような不都合を改善するための方法として、上述したＲＯＭ領域と、追記／書き換え可能な記録領域（読み出し及び書き込み可能な領域であり、「ＲＡＭ領域」と呼ぶ）とで構成されるＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，ＤＶＤ−ＲＡＭ等のハイブリッド記録媒体を利用して情報処理装置のソフトウェア（プログラム）やデータのコンテンツをバージョンアップする方法がある。
【０００５】
例えば、ハイブリッド記録媒体を利用したコンテンツ導入用ディスク（インストールディスク）において、ＲＯＭ領域にコンテンツを記録しておき、ＲＡＭ領域を利用してバージョンアップを行なう方法が提案されている。つまりバージョンアップがあった場合は、そのバージョンアップされたコンテンツをＲＡＭ領域に記録していくことにより、コンテンツ導入用ディスクを常に最新バージョンに維持しようとするものである。この方法によれば、利用者はコンテンツを再導入する場合、容易に最新バージョンのコンテンツの導入が可能になる（例えば特許文献１〜３参照）。
【特許文献１】特開２０００−２８５６０８号公報
【特許文献２】特開２０００−１４８５０４号公報
【特許文献３】特開２００１−２７３１８２号公報
【０００６】
しかし、ハイブリッド記録媒体のＲＡＭ領域を利用したバージョンアップ方法では、バージョンアップ用のコンテンツを記録するためのＲＡＭ領域容量は有限であることから、ＲＡＭ領域を効率良く使用することを考慮しなければならない。
そこで、本出願人は先に、ハイブリッド記録媒体（第１の記録媒体）のＲＡＭ領域にはバージョンアップされたコンテンツを直接記録するのではなく、コンテンツそのものは第２の記録媒体に記録し、バージョンアップされたコンテンツの履歴であるコンテンツ記録情報をハイブリッド記録媒体のＲＡＭ領域に記録することにより、そのＲＡＭ領域を効率良く使用するバージョンアップ方式を提案している（特願２００２−３８２２３８）。
【発明の開示】
【発明が解決しようとする課題】
【０００７】
このようなバージョンアップ方式によれば、バージョンアップされたコンテンツは適宜第２の記録媒体に記録できるが、各種コンテンツがそれぞれ別のハイブリッド記録媒体で提供されることになるため、第２の記録媒体に記録されたバージョンアップコンテンツは、どのハイブリッド記録媒体で提供されたコンテンツのバージョンアップ分か判別する必要がある。
すなわち、あるハイブリッド記録媒体１で提供されたコンテンツにバージョンアップが発生した場合は、第２の記録媒体とハイブリッド記録媒体とを関連付けしなければならない。例えば、ハイブリッド記録媒体１でコンテンツ１が提供され、第２の記録媒体１にはコンテンツ１のバージョンアップ分が記録されている。
【０００８】
一方、ハイブリッド記録媒体２でコンテンツ２が提供され、第２の記録媒体２にはコンテンツ２のバージョンアップ分が記録されている場合を考える。
利用者がハイブリッド記録媒体１で提供されるコンテンツ１を再導入するような場合、最新のコンテンツ１にするためには第２の記録媒体１を用いてコンテンツ１のバージョンアップ分を導入しなければならないが、第２の記録媒体２を用いてしまう可能性もある。コンテンツ１とコンテンツ２のバージョンが同じ場合、第２の記録媒体２に記録されたコンテンツ２のバージョンアップ分が導入の対象となり、不具合が生じてしまうことになる。
【０００９】
この発明は上記の点に鑑みてなされたものであり、少なくともコンテンツが記録されているＲＯＭ領域を有する記録媒体（ＲＯＭ領域とＲＡＭ領域とを有するハイブリッド記録媒体あるいはＲＯＭ領域のみを有する記録媒体）とバージョンアップコンテンツが記録されている他の記録媒体とを関連付けることを可能にし、利用者が最新のコンテンツを情報処理装置に導入する時に用いた記録媒体（実際にはその記録媒体で提供されるコンテンツ）と関連付けされた他の記録媒体（実際にはその記録媒体に記録されているバージョンアップコンテンツ）を用いて正しいコンテンツを情報処理装置に導入できるようにすることを目的とする。
【課題を解決するための手段】
【００１０】
この発明は、上記の目的を達成するため、コンピュータ読み取り可能な記録媒体およびコンテンツのバージョンアップ方法を提供する。
請求項１の発明によるコンピュータ読み取り可能な記録媒体は、プログラム又はデータのコンテンツと、コンピュータに上記コンテンツをバージョンアップするためのバージョンアップコンテンツを他の記録媒体に記録する手順を実行させるためのコンテンツ記録プログラムと、上記コンピュータに上記コンテンツを上記バージョンアップコンテンツによってバージョンアップする手順を実行させるためのバージョンアッププログラムと、上記コンピュータに上記コンテンツを導入するための手順を実行させるための第１の導入プログラムとが記録されたコンピュータ読み取り可能な記録媒体であって、上記コンテンツ記録プログラムを、上記コンピュータに、上記バージョンアップコンテンツの他に、上記記録媒体の記録領域の拡張であることを示す領域識別情報、上記バージョンアップコンテンツのバージョンを示すバージョン情報、および上記バージョンアップコンテンツを導入するための手順を実行させるための第２の導入プログラムを上記他の記録媒体に記録する手順を実行させるためのプログラムとしたものである。
請求項２の発明によるコンピュータ読み取り可能な記録媒体は、請求項１のコンピュータ読み取り可能な記録媒体において、上記領域識別情報を、当該記録媒体と関連付けされた特定情報としたものである。
【００１１】
請求項３の発明によるコンピュータ読み取り可能な記録媒体は、プログラム又はデータのコンテンツと、コンピュータに上記コンテンツをバージョンアップするためのバージョンアップコンテンツを他の記録媒体に記録する手順を実行させるためのコンテンツ記録プログラムと、上記コンピュータに上記コンテンツを上記バージョンアップコンテンツによってバージョンアップする手順を実行させるためのバージョンアッププログラムと、上記コンピュータに上記コンテンツを導入するための手順を実行させるための第１の導入プログラムとが記録されたコンピュータ読み取り可能な記録媒体であって、上記コンテンツ記録プログラムを、上記コンピュータに、上記記録媒体の記録領域の拡張であることを示す領域識別情報、それぞれ異なるバージョンの上記バージョンアップコンテンツと該バージョンアップコンテンツを導入するための手順を実行させるための第２の導入プログラムとからなる複数のコンテンツ記録フォルダ、およびその各コンテンツ記録フォルダのバージョンアップコンテンツのバージョンをそれぞれ示す各バージョン情報を上記他の記録媒体に記録する手順を実行させるためのプログラムとしたものである。
【００１２】
請求項４の発明によるコンピュータ読み取り可能な記録媒体は、請求項３のコンピュータ読み取り可能な記録媒体において、上記領域識別情報を、当該記録媒体と関連付けされた特定情報としたものである。
請求項５の発明によるコンピュータ読み取り可能な記録媒体は、請求項３又は４のコンピュータ読み取り可能な記録媒体において、上記各バージョン情報をそれぞれ、対応するコンテンツ記録フォルダのバージョンアップコンテンツのバージョンを示すバージョン番号と該コンテンツ記録フォルダの名称とによって構成したものである。
【発明の効果】
【００１３】
この発明によれば、少なくともコンテンツが記録されているＲＯＭ領域を有する記録媒体とバージョンアップコンテンツが記録されている他の記録媒体とを関連付けることができるため、利用者が最新のコンテンツを情報処理装置に導入する時に用いた記録媒体（実際にはその記録媒体で提供されるコンテンツ）と関連付けされた他の記録媒体（実際にはその記録媒体に記録されているバージョンアップコンテンツ）を用いて正しいコンテンツを情報処理装置に導入することができる。
【発明を実施するための最良の形態】
【００１４】
以下、この発明を実施するための最良の形態を図面に基づいて具体的に説明する。
図１は、この発明の一実施例であるコンテンツ導入用ハイブリッド記録媒体の構成を示す図である。
このコンテンツ導入用ハイブリッド記録媒体２は、コンテンツ提供者が提供する第１の記録媒体であり、読み出し専用領域であるＲＯＭ領域２１と読み出し及び書き込み可能な領域であるＲＡＭ領域２２とを有する追記型（Ｒｅｃｏｒｄａｂｌｅ）若しくは書き換え型（ＲｅＷｒｉｔａｂｌｅ）のＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，ＤＶＤ−ＲＡＭ等のコンピュータ読み取り可能な記録媒体である。
【００１５】
そのＲＯＭ領域２１には、情報処理装置に導入する各種のソフトウェアプログラム（プログラム）及び／若しくはデータのコンテンツ（この発明に係わるコンテンツ）と、コンテンツ記録ソフトウェア（この発明に係わるコンテンツ記録プログラム）と、バージョンアップソフトウェア（この発明に係わるバージョンアッププログラム）と、第１の導入ソフトウェア（この発明に係わる第１の導入プログラム）と、導入判定ソフトウェアを記録若しくはスタンパで形成している。
【００１６】
また、ＲＡＭ領域２２には、ＲＯＭ領域２１に予め記録されているコンテンツにバージョンアップがあった場合、他の記録媒体である第２の記録媒体を利用してバージョンアップした経緯（履歴）を記録するための記録領域であり、第２の記録媒体に記録したバージョンアップ分のコンテンツ（バージョンアップコンテンツ）のバージョンアップの経緯又は履歴を示すコンテンツ記録情報を記録する。
なお、コンテンツをバージョンアップすることによってＲＡＭ領域２２が消費され、コンテンツ記録情報を記録できなくなった時にＲＡＭ領域拡張識別子を記録して、記録できなかったコンテンツ記録情報は更に他の記録媒体である第３の記録媒体に記録する。
【００１７】
図２は、図１に示したコンテンツ導入用ハイブリッド記録媒体２を利用する情報処理装置の構成を示すブロック図である。
この情報処理装置１は、ＣＰＵ，ＲＯＭ，及びＲＡＭ等からなるマイクロコンピュータによって実現され、コンテンツ導入用ハイブリッド記録媒体２からコンテンツを導入し、その導入したコンテンツを利用者に利用させて情報処理を行うための装置であり、代表的な装置としてパーソナルコンピュータがある。勿論、特定の情報を処理するための装置であってもかまわない。
【００１８】
この情報処理装置１は、装置全体を管理及び制御するＣＰＵ１０と、この発明に係わるプログラムやデータ等のコンテンツを記憶して導入するハードディスク装置（ＨＤＤ）に代表される内部記録部１１と、各種のデータや作業画面等を表示するＣＲＴ，ＬＣＤ等のディスプレイなどの表示部１２と、利用者が各種の操作情報を入力するキーボード，マウスなどの入力部１３と、ＣＰＵ１０が実行するプログラムを展開し、各種の処理の際の作業領域として使用されるメモリである記憶部１４と、コンテンツ導入用ハイブリッド記録媒体２と第２，第３の記録媒体３，４に対する記録又は再生を行う記録再生部１５と、インタネットに接続するためのインタフェイス（Ｉ／Ｆ）であって、インタネット上からバージョンアップコンテンツをダウンロードするための公衆回線接続部１６とから構成される。
【００１９】
２は、図１に示したコンテンツ導入用ハイブリッド記録媒体である。
第２，第３の記録媒体３，４はいずれも、情報処理装置１に対して脱着可能なＭＯディスク，ＣＤ−Ｒディスク，ＣＤ−ＲＷディスク，ＤＶＤ＋Ｒディスク，ＤＶＤ＋ＷＲディスク，ＤＶＤ−Ｒディスク，ＤＶＤ−ＲＷディスク，ＤＶＤ−ＲＡＭディスク等のコンピュータ読み取り可能な記録媒体である。そのうち、第２の記録媒体３には、上記バージョンアップ分のコンテンツであるバージョンアップコンテンツが記録される。第３の記録媒体４には、コンテンツをバージョンアップすることによってコンテンツ導入用ハイブリッド記録媒体２のＲＡＭ領域２２が消費され、そこにコンテンツ記録情報を記録できなくなった時に、ＲＡＭ領域拡張識別子が記録される。
【００２０】
図３は、図１に示したコンテンツ導入用ハイブリッド記録媒体２のＲＡＭ領域（コンテンツ記録情報領域）２２に記録されるコンテンツ記録情報のフォーマット例を示す図である。
このコンテンツ記録情報は、上記ＣＰＵ１０が、コンテンツ記録ソフトウェア（コンテンツ記録プログラム）の手順を実行することによって第２の記録媒体３にバージョンアップ分のコンテンツを記録する時にＲＡＭ領域２２に記録され、バージョンアップしていない場合にはＲＡＭ領域２２には記録されない情報であり、次のように構成されている。
【００２１】
すなわち、内部記録部１１にコンテンツを再導入する時にコンテンツ導入用ハイブリッド記録媒体２又は第２の記録媒体３のコンテンツ記録媒体に記録されているコンテンツの導入の要否を示すコンテンツ導入要否情報３１と、コンテンツを再導入する時に導入すべきバージョン番号（バージョン情報）を導入の順に記録したバージョンテーブル３３と、バージョンテーブル３３に記録されているバージョン情報の数を示すバージョンテーブル数３２とからなる。
【００２２】
例えば、コンテンツ導入要否情報が「要」の場合、再導入する時はコンテンツ導入用ハイブリッド記録媒体２に記録されているコンテンツを導入した後、バージョンテーブル３３に記録されているバージョン番号のバージョンアップコンテンツを第２の記録媒体３から順に導入することを意味する。
この場合、第２の記録媒体３に記録されているバージョンアップコンテンツは、コンテンツ導入用ハイブリッド記録媒体２に記録されているコンテンツに対する「差分型」であることになる。
ここで、「差分型」とは、該当するコンテンツだけではバージョンアップできず、元になるコンテンツを導入後に「差分型」を導入することでバージョンアップしたことになるようなコンテンツ形式のことである。
【００２３】
コンテンツ導入要否情報が「不要」の場合、再導入する時はコンテンツ導入用ハイブリッド記録媒体２に記録されているコンテンツを導入せずに、バージョンテーブル３３に記録されているバージョン番号のバージョンアップコンテンツを第２の記録媒体３から順に導入することになる。この場合、第２の記録媒体３に記録されているバージョンアップコンテンツは「完結型」のみか「完結型」とこれに対する「差分型」であることになる。
ここで、「完結型」とは、該当するコンテンツを導入するだけでバージョンアップしたことになるようなコンテンツ形式である。
【００２４】
コンテンツ導入要否情報は、次の場合に設定する。
すなわち、コンテンツ導入用ハイブリッド記録媒体２に記録されているコンテンツを初めてバージョンアップする場合、コンテンツが「差分型」の場合は「要」、「完結型」の場合は「不要」に設定する。
２回目以降のコンテンツが「完結型」の場合は、「不要」に設定する（「差分型」の場合は維持される）。
バージョンテーブル数３２は、バージョンテーブル３３（コンテンツテーブル）に記録されているバージョン番号の数である。
バージョンテーブル３３には、コンテンツを導入する順序にバージョンテーブル数３２だけバージョン番号を記録する。
【００２５】
「完結」するコンテンツを第２の記録媒体３に記録した場合は、バージョンテーブル数３２を「１」に書き換え、バージョンテーブル３３には該当バージョン番号を１つだけ記録する。
「差分型」のコンテンツを第２の記録媒体３に記録した場合は、バージョンテーブル数３２に「１」を加算し、バージョンテーブル３３にはバージョンテーブル数３２が指し示すバージョンテーブル３３の位置にコンテンツの持つバージョン番号を追加する。
このようにして、コンテンツ記録情報はコンテンツが「差分型」か「完結型」かにより記録内容はその都度変化する。
【００２６】
図４は、初めてのバージョンアップコンテンツが「差分型」だった場合のコンテンツ導入用ハイブリッド記録媒体２のＲＡＭ領域２２に記録されるコンテンツ記録情報のデータ内容の一例を示す図である。
同図に示すように、コンテンツ導入要否情報４１が「要」であり、バージョンテーブル４３にバージョン番号Ｖｘが、バージョンテーブル数４２に「１」がそれぞれ格納されている場合、コンテンツ導入要否情報４１が「要」であるので、最新バージョンのバージョン番号Ｖｘのコンテンツを導入するには、コンテンツ導入用ハイブリッド記録媒体２からコンテンツを導入した後、第２の記録媒体３に記録されているバージョン番号Ｖｘのコンテンツを導入すればよいことを意味する。
【００２７】
図５は、初めてのバージョンアップコンテンツが「完結型」だった場合のコンテンツ導入用ハイブリッド記録媒体２のＲＡＭ領域２２に記録されるコンテンツ記録情報のデータ内容の一例を示す図である。
同図に示すように、コンテンツ導入要否情報５１が「不要」であり、バージョンテーブル５３にバージョン番号Ｖｘが、バージョンテーブル数５２に「１」がそれぞれ格納されている場合、コンテンツ導入要否情報５１が「不要」であるので、バージョンアップするなかで完結するコンテンツによるバージョンアップがあったことを示し、この場合に最新バージョンのバージョン番号Ｖｘを導入するためには、第２の記録媒体３に記録されているコンテンツだけを導入すればよいことを意味する。
【００２８】
図６は、コンテンツ導入用ハイブリッド記録媒体２のＲＡＭ領域２２に図４に示したコンテンツ記録情報が記録された後に更に差分型コンテンツでバージョンアップがあった場合に記録されるコンテンツ記録情報のデータ内容の一例を示す図である。
同図に示すように、コンテンツ導入要否情報６１が「要」であり、バージョンテーブル６３にバージョン番号Ｖｘが、バージョンテーブル６４に最新のバージョン番号Ｖｙがそれぞれ格納されており、バージョンテーブル数６２が「２」に更新されている場合、コンテンツ導入要否情報６１が「要」であるので、最新のバージョン番号Ｖｙのコンテンツを導入するには、コンテンツ導入用ハイブリッド記録媒体２からコンテンツを導入した後、第２の記録媒体３に記録されているバージョン番号Ｖｘのコンテンツを導入し、更に第２の記録媒体３に記録されている最新のバージョン番号Ｖｙのコンテンツを導入すればよいことを意味する。
【００２９】
図７は、コンテンツ導入用ハイブリッド記録媒体２のＲＡＭ領域２２に図５に示したコンテンツ記録情報が記録された後に更に差分型コンテンツでバージョンアップがあった場合に記録されるコンテンツ記録情報のデータ内容の一例を示す図である。
同図に示すように、コンテンツ導入要否情報７１が「不要」であり、バージョンテーブル７３にバージョン番号Ｖｘが、バージョンテーブル７４に最新のバージョン番号Ｖｙがそれぞれ格納されており、バージョンテーブル数７２が「２」に更新されている場合、コンテンツ導入要否情報７１が「不要」であるので、完結型コンテンツのバージョン番号Ｖｘのコンテンツを導入した後、第２の記録媒体３に記録されている最新のバージョン番号Ｖｙのコンテンツを導入すればよいことを意味する。
【００３０】
図８は、コンテンツ提供者が提供するコンテンツ導入用ハイブリッド記録媒体２における詳細なデータ記録フォーマットの一例を示す図である。
このコンテンツ導入用ハイブリッド記録媒体２のＲＯＭ領域８１（図１では２１の符号を付している）には、導入判定ソフトウェア（この発明に係わる導入判定プログラム）８１１と、第１の導入ソフトウェア（この発明に係わる第１の導入プログラム）８１２と、情報処理装置１に導入する各種のソフトウェアプログラム（プログラム）及び／若しくはデータのコンテンツ（この発明に係わるコンテンツ）８１３と、コンテンツ記録ソフトウェア（この発明に係わるコンテンツ記録プログラム）８１４と、バージョンアップソフトウェア（この発明に係わるバージョンアップコンテンツ記録プログラム）８１５とを記録しており、ＲＡＭ領域８２（図１では２２の符号を付している）はコンテンツ記録情報領域として予約されている。
【００３１】
図９は、第２の記録媒体３における詳細なデータ記録フォーマットの一例を示す図である。
この第２の記録媒体３には、コンテンツ導入用ハイブリッド記録媒体２のＲＯＭ領域（コンテンツ）と関連付けされているそのＲＯＭ領域（記録媒体）の拡張であることを示すＲＯＭ領域識別子（この発明に係わる領域識別情報）９１と、当該第２の記録媒体３に記録されているコンテンツのバージョンを示すバージョン番号（この発明に係わるバージョン情報）９２と、第２の導入ソフトウェア（この発明に係わる第２の導入プログラム）９３と、バージョン番号Ｖｘのコンテンツ９４とが記録されている。
【００３２】
図１０は、第２の記録媒体３における詳細なデータ記録フォーマットの他の例を示す図である。
この第２の記録媒体３には、コンテンツ導入用ハイブリッド記録媒体２のコンテンツと関連付けされているＲＯＭ領域識別子（この発明に係わる領域識別情報）２７１と、記録バージョン情報（この発明に係わるバージョン情報）２７２と、各バージョン毎（異なるバージョン）のコンテンツ記録フォルダ（この発明に係わるコンテンツ記録フォルダ）２７３とが記録されている。
【００３３】
記録バージョン情報２７２は、第２の記録媒体３に記録されているバージョンアップコンテンツの数を示す記録バージョンテーブル数２７２１と、バージョン番号２７２２１および当該コンテンツが記録されているコンテンツ記録フォルダ２７２２２の名前（名称）からなる記録バージョン（Ｎ）２７２２とによって構成される。
コンテンツ記録フォルダ２７３は、バージョンアップコンテンツ２７３２とそのバージョンアップコンテンツ２７３２を導入するための手順を実行させるための第２の導入ソフトウェア２７３１とからなる。
【００３４】
図１１は、コンテンツ導入用ハイブリッド記録媒体２のＲＡＭ領域にコンテンツ記録情報（ｉ）を記録できなかった場合のそのＲＡＭ領域におけるデータ内容の一例を示す図である。
コンテンツ導入用ハイブリッド記録媒体２のＲＡＭ領域１８２において、コンテンツ記録情報（１）１８２１からコンテンツ記録情報（ｉ−１）１８２２は、コンテンツをバージョンアップした順番で記録されたコンテンツ記録情報であり、コンテンツ記録情報（ｉ）が記録できなかったので、ＲＡＭ領域拡張識別子１８３が記録される。
【００３５】
図１２は、コンテンツ導入用ハイブリッド記録媒体２のＲＡＭ領域にコンテンツ記録情報（ｉ）が記録できなくなった場合の第３の記録媒体４におけるデータ内容の一例を示す図である。
第３の記録媒体４の記憶領域には、コンテンツ導入用ハイブリッド記録媒体２のＲＡＭ領域を拡張したことを示すＲＡＭ領域識別子１９１と、今回のコンテンツのバージョンアップで発生し、且つＲＡＭ領域に記録できなかったコンテンツ記録情報（ｉ）１９２が記録される。
ＲＡＭ領域識別子１９１としては、ＲＡＭ領域拡張識別子１８３の情報（そのビットを反転した情報）等を利用するなどして、ＲＡＭ領域識別子であると特定できる情報であれば良い。
１９３は、記録空領域である。
【００３６】
図１３は、第３の記録媒体４の記録領域にコンテンツ記録情報（ｊ）を記録できなかった場合のその記憶領域におけるデータ内容の一例を示す図である。
第３の記録媒体４の記憶領域において、ＲＡＭ領域識別子２０１（図１２では１９１の符号を付している）はコンテンツ記録情報（ｉ）２０２１（図１２では１９２の符号を付している）を記録する場合に記録され、コンテンツをバージョンアップした順番でコンテンツ記録情報（ｊ−１）２０２２が記録されている。また、コンテンツ記録情報（ｊ）が記録できなかったので、領域拡張識別子２０３が記録される。
領域拡張識別子２０３は、コンテンツを導入する時に入力するディスクのシリアルナンバのような情報を利用するなどして、領域拡張識別子であると特定できる情報であれば良い。また、この領域拡張識別子２０３はＲＡＭ領域拡張識別子と同じであってもよい。
【００３７】
図１４は、第３の記録媒体４の記録領域にコンテンツ記録情報を記録できなくなった場合の別の（２枚目の）第３の記録媒体４′の記録領域におけるデータ内容の一例を示す図である。
別の第３の記録媒体４′には、第３の記録媒体４の記録領域を拡張したことを示す領域識別子２１１と、今回のコンテンツのバージョンアップで発生し、且つ第３の記録媒体４の記録領域に記録できなかったコンテンツ記録情報（ｊ）２１２が記録される。
領域識別子２１１としては、領域拡張識別子２０３の情報（そのビットを反転した情報）等を利用するなどして、領域識別子であると特定できる情報であれば良い。
２１３は、記録空領域である。
【００３８】
図１５は、別の第３の記録媒体４′の記録領域にコンテンツ記録情報を記録できなくなった場合のその記録領域におけるデータ内容の一例を示す図である。
別の第３の記録媒体４′の記録領域において、領域識別子２２１（図１４では２１１の符号を付している）はコンテンツ記録情報（ｊ）２２２１（図１４では２１２の符号を付している）を記録する場合に記録され、コンテンツをバージョンアップした順番でコンテンツ記録情報（ｋ−１）２２２２が記録されている。また、コンテンツ記録情報（ｋ）を記録できなかったので、領域拡張識別子２２３が記録される。
領域識別子２２１としては、領域拡張識別子２２３の情報（そのビットを反転した情報）等を利用するなどして、領域識別子であると特定できる情報であれば良い。
【００３９】
図１６は、別の第３の記録媒体４′の記録領域にコンテンツ記録情報を記録できなくなった場合の更に別の第３の記録媒体４"の記録領域におけるデータ内容の一例を示す図である。
更に別の第３の記録媒体４"には、別の第３の記録媒体４′の記録領域を拡張したことを示す領域識別子２３１と今回のコンテンツのバージョンアップで発生し、且つ第３の記録媒体４と別の第３の記録媒体４′の記録領域に記録できなかったコンテンツ記録情報（ｋ）２３２が記録される。
領域識別子２３１としては、領域拡張識別子２２３の情報（そのビットを反転した情報）等を利用するなどして、領域識別子であると特定できる情報であれば良い。
２３３は、記録空領域である。
【００４０】
このように、バージョンアップコンテンツの他に、コンテンツ導入用ハイブリッド記録媒体のＲＯＭ領域（記録領域）の拡張であることを示すＲＯＭ領域識別子、そのバージョンアップコンテンツのバージョンを示すバージョン情報（バージョン番号）、およびそのバージョンアップコンテンツを導入するための手順を実行させるための第２の導入プログラムを第２の記録媒体に記録することにより、第２の記録媒体（実際にはそれに記録されているバージョンアップコンテンツ）と最初のコンテンツが提供されたコンテンツ導入用ハイブリッド記録媒体（実際にはそれに記録されているコンテンツ）とを関連付けることができるので、コンテンツ導入用ハイブリッド記録媒体に対応する第２に記録媒体によって正しいバージョンアップコンテンツを導入して、コンテンツのバージョンアップを行うことが可能になる。ＲＯＭ領域識別子がコンテンツ導入用ハイブリッド記録媒体毎に異なる特定情報であれば、各コンテンツ導入用ハイブリッド記録媒体にそれぞれ対応する第２の記録媒体によって正しいバージョンアップコンテンツを導入して、コンテンツのバージョンアップを行うことが可能になる。
【００４１】
あるいは、コンテンツ導入用ハイブリッド記録媒体のＲＯＭ領域（記録領域）の拡張であることを示すＲＯＭ領域識別子、それぞれ異なるバージョンのバージョンアップコンテンツとそのバージョンアップコンテンツを導入するための手順を実行させるための第２の導入プログラムとからなる複数のコンテンツ記録フォルダ、およびその各コンテンツ記録フォルダのバージョンアップコンテンツのバージョンをそれぞれ示す各記録バージョン情報を第２の記録媒体に記録することにより、上述と同様の効果を得られる。また、１つの第２の記録媒体に複数の異なるバージョンアップコンテンツを記録できるようになるため、第２の記録媒体を有効に使用できる。しかも、ファイル名が同じ場合でも混同されることはない。各記録バージョン情報がそれぞれ、対応するコンテンツ記録フォルダのバージョンアップコンテンツのバージョンを示すバージョン番号と該コンテンツ記録フォルダの名称とによって構成されると、第２の記録媒体に記録されている全てのバージョンアップコンテンツおよびそれらのバージョンアップコンテンツが実際に記録されている各コンテンツ記録フォルダを容易に判別することができる。
よって、コンテンツの不正なバージョンアップを防止しながら、何回でもコンテンツのバージョンアップおよび導入が可能になる。
【００４２】
以下、情報処理装置１のＣＰＵ１０によるこの発明に係わる処理の一例について、図１７〜図２９を参照して具体的に説明する。なお、この例では、ＲＡＭ領域識別子と領域識別子、ＲＡＭ領域拡張識別子を領域拡張識別子をそれぞれ同じ情報にする。つまり、領域識別子をＲＡＭ領域識別子、領域拡張識別子をＲＡＭ領域拡張識別子にそれぞれ置き換える。それによって、コンテンツ記録情報を記録する複数枚の第３の記録媒体を全て同じように扱うことが可能になる。また、利用者は最新のコンテンツ記録情報が記録されている第３の記録媒体のみを管理すればよい。
【００４３】
まず、コンテンツの導入について、具体的に説明する。
利用者は、コンテンツを新しく導入しようとする時若しくは再導入しようとする時、コンテンツ導入用ハイブリッド記録媒体を情報処理装置１の記録再生部１５に装着し、導入判定ソフトウェアを起動する。
利用者はこの操作により、バージョンアップのためのコンテンツが「差分型」であっても「完結型」であっても常に最新バージョンにすることが容易に可能になる。
【００４４】
もちろん、ウインドウズ（Ｗｉｎｄｏｗｓ：登録商標）では記録媒体の装着を検出し、自動的に所定のソフトウェアを起動する機能が提供されているので、その機能を利用して記録媒体の装着（挿入）時に自動的に導入判定ソフトウェアが起動されるようにしても構わない。
情報処理装置１のＣＰＵ１０は、導入判定ソフトウェアを起動し、コンテンツ導入用ハイブリッド記録媒体のＲＡＭ領域若しくは第３の記録媒体に記録されているコンテンツ記録情報を参照してコンテンツ導入用ハイブリッド記録媒体に記録されているコンテンツを導入するか、第２の記録媒体に記録されているコンテンツを導入するかの判定を行う。
【００４５】
図１７は、情報処理装置１のＣＰＵ１０がコンテンツ導入用ハイブリッド記録媒体のＲＯＭ領域に記録されている導入判定ソフトウェアの手順を実行した場合の処理の一例を示すフローチャートである。
情報処理装置１のＣＰＵ１０は、まずコンテンツ導入用ハイブリッド記録媒体のＲＡＭ領域をチェックしてそのＲＡＭ領域にコンテンツ記録情報が記録されているか否かをチェックし（Ｓ１）、そのＲＡＭ領域にコンテンツ記録情報が記録されていないと判断すれば、第１の導入ソフトウェアを起動し（Ｓ２）、処理を終了する。
【００４６】
ここで、ＲＯＭ領域識別子とＲＡＭ領域（拡張）識別子の在処およびその情報（内容）に関して、導入判定ソフトウェアによりＲＡＭ領域拡張識別子及び／若しくはＲＡＭ領域識別子の情報を、コンテンツ記録ソフトウェアによりＲＡＭ領域拡張識別子及び／若しくはＲＡＭ領域識別子の情報とＲＯＭ領域識別子の情報を、バージョンアップソフトウェアによりＲＯＭ領域識別子の情報をそれぞれのソフトウェア内部情報として所有するものとする。
【００４７】
勿論、コンテンツ導入用ハイブリッド記録媒体のＲＯＭ領域に予めそれぞれの識別子の情報を記録しておき、それぞれのソフトウェアにより各識別子の情報を参照するようにしても構わない。
各識別子の情報としては、例えばコンテンツ名等、コンテンツ導入用ハイブリッド記録媒体で提供されるコンテンツ情報と組み合わせるなどすると分かりやすい。勿論、各識別子の情報はコンテンツの内容（重要度）等により暗号化されていてもよい。
識別子の詳細内容および情報量はコンテンツ導入用ハイブリッド記録媒体の運用システムに依存するのでここでは触れない。
【００４８】
例えば、コンテンツ導入用ハイブリッド記録媒体でコンテンツ“ＣＯＮＴＥＮＴ１”が提供されるような場合の各識別子の例を下に示す。
ＲＯＭ領域識別子      ：“ＲＯＭ＿ＣＯＮＴＥＮＴ１”
ＲＡＭ領域拡張識別子  ：“ＲＡＭ＿ＣＯＮＴＥＮＴ１”
ＲＡＭ領域識別子      ：“ＲＡＭ＿ＣＯＮＴＥＮＴ１”のビット（bit）反転情報
【００４９】
接頭辞（Ｐｒｅｆｉｘ）として、”ＲＯＭ＿”および”ＲＡＭ＿”を規約化しておけば、容易に識別子として判断できる。
また、ソフトウェアの機能（プログラム処理コード）を変更せずに、例えば第１のコンテンツ用に準備する各識別子の情報と、第２のコンテンツ用に準備する各識別子の情報とだけを違う情報にすることは、プログラムで定義する変数値を変更するだけでよく、各識別子の情報をソフトウェア内部情報として所有することは容易である。
【００５０】
図１７に戻り、情報処理装置１のＣＰＵ１０は、コンテンツ導入用ハイブリッド記録媒体のＲＡＭ領域にコンテンツ記録情報が記録されている場合には、ＲＡＭ領域拡張識別子が記録されているか否かをチェックし（Ｓ３）、ＲＡＭ領域拡張識別子が記録されていなければコンテンツ導入用ハイブリッド記録媒体のＲＡＭ領域に記録されているコンテンツ記録情報を読み込み（Ｓ４）、ＲＡＭ領域拡張識別子が記録されていれば第３の記録媒体からコンテンツ記録情報を読み込む（Ｓ７）。
そして、読み込んだコンテンツ記録情報を記憶部（メモリ）１４に複写（コピー）し（Ｓ５）、当該情報処理装置１の内部記録部１１に導入されているバージョンアップソフトウェアを起動し（Ｓ６）、処理を終了する。
【００５１】
図１８は、情報処理装置１のＣＰＵ１０が図１７のステップＳ２で起動した第１の導入ソフトウェアの手順を実行した場合の処理の一例を示すフローチャートである。
情報処理装置１のＣＰＵ１０は、まずコンテンツ導入用ハイブリッド記録媒体からコンテンツを内部記録部１１へ導入し（Ｓ１１）、第１の導入ソフトウェアによるコンテンツ導入の完了を通知するため、コンテンツ導入処理状態を「処理完了」に設定して（Ｓ１２）、処理を終了する。なお、ステップＳ１２の処理は、後述する図２１のステップＳ４４のチェックとの同期をとるための処理である。
【００５２】
図１９は、図１７のステップＳ７と後述する図２５のステップＳ１０５の処理（第３の記録媒体からコンテンツ記録情報を読み込む処理）のサブルーチンの一例を示すフローチャートである。
情報処理装置１のＣＰＵ１０は、まず例えば「保管している最新のコンテンツ記録情報を記録したディスクを装着してください」等のメーセッジを表示部１２に表示することにより、最新のコンテンツ記録情報が記録されている第３の記録媒体の装着を利用者へ要求する（Ｓ２１）。
その要求に対して、記録媒体が装着されると、その記録媒体が第３の記録媒体であるか否かをＲＡＭ領域識別子が記録されているかどうかによってチェックする（Ｓ２２）。
【００５３】
そして、装着された記録媒体にＲＡＭ領域識別子が記録されている場合には、その記録媒体は第３の記録媒体であると判断し、ステップＳ２３へ移行する。
装着された記録媒体にＲＡＭ領域識別子が記録されていない場合には、その記録媒体は第３の記録媒体でないと判断して、ステップＳ２１に戻り、表示部１２への表示によって利用者に正しい第３の記録媒体の装着を要求する。このとき、例えば「このディスクにはコンテンツ記録情報は記録されていません。正しいディスクを装着してください。」等のメッセージを表示部１２に表示することにより、利用者へ装着されている記録媒体は正しい第３の記録媒体ではないことを通知すると共に、正しい第３の記録媒体の装着を要求するとよい。
【００５４】
その要求に対して、再び記録媒体が装着されると、その記録媒体が第３の記録媒体であるか否かをＲＡＭ領域識別子が記録されているかどうかによってチェックし（Ｓ２２）、やはり装着された記録媒体にＲＡＭ領域識別子が記録されていなければ、その記録媒体は第３の記録媒体でないと判断し、ステップＳ２１に戻って上述と同様の処理を繰り返すが、装着された記録媒体にＲＡＭ領域識別子が記録されていれば、その記録媒体は第３の記録媒体であると判断して、ステップＳ２３へ移行する。
【００５５】
ステップＳ２３では、装着された記録媒体の記憶領域が別の第３の記録媒体に拡張されていないかどうかをＲＡＭ領域拡張識別子が記録されているかどうかによってチェックする（Ｓ２３）。
そして、装着された記録媒体にＲＡＭ領域拡張識別子が記録されていない場合には、その記録媒体はＲＡＭ領域識別子とコンテンツ記録情報が記録されている正しい第３の記録媒体であると判断し、その第３の記録媒体からコンテンツ記録情報を読み込む（Ｓ２４）。
【００５６】
装着された記録媒体にＲＡＭ領域拡張識別子が記録されている場合には、その記録媒体の記録領域は別の第３の記録媒体（更に別の記録媒体でもよい）に拡張されているので、表示部１２への表示によって利用者に別の第３の記録媒体（正しい第３の記録媒体）の装着を要求する（Ｓ２１）。このとき、例えば「このディスクに記録されているコンテンツ記録情報は無効です。正しいディスクを装着してください。」等のメッセージを表示部１２に表示することにより、利用者へ装着されている記録媒体（ディスク）は正しい第３の記録媒体ではないことを通知すると共に、正しい第３の記録媒体の装着を要求するとよい。
その要求に対して、再び記録媒体が装着されると、ステップＳ２２へ移行し、以後上述と同様の判断および処理を行う。
【００５７】
図２０は、情報処理装置１のＣＰＵ１０が図１７のステップＳ６で起動したバージョンアップソフトウェアの手順を実行した場合の処理の概略例を示すフローチャートである。
情報処理装置１のＣＰＵ１０は、まずコンテンツ導入用ハイブリッド記録媒体に記録されているコンテンツを必要に応じて導入した後（Ｓ３１）、第２の記録媒体に記録されているコンテンツを導入する（Ｓ３２）。
【００５８】
図２１は、図２０のステップＳ３１の処理（コンテンツ導入用ハイブリッド記録媒体に記録されているコンテンツを必要に応じて導入する処理）のサブルーチンの一例を示すフローチャートである。
情報処理装置１のＣＰＵ１０は、まずコンテンツ記録情報に記録されているコンテンツ導入要否情報が「要」か否かをチェックし（Ｓ４１）、「要」と判断すればコンテンツ導入用ハイブリッド記録媒体に記録されているコンテンツの導入を行なう。
すなわち、まずコンテンツ導入処理状態を「処理中」に設定し（Ｓ４２）、第１の導入ソフトウェアを起動することにより、コンテンツの導入を開始する（Ｓ４３）。
【００５９】
第１の導入ソフトウェアの手順に基づく処理によってコンテンツの導入を完了すると、コンテンツ導入処理状態を「処理完了」に設定してくるので、コンテンツ導入処理状態が「処理完了」になったか否かを判断し（Ｓ４４）、処理完了になったら第１の導入ソフトウェアによるコンテンツ導入が完了し、処理を終了する。
コンテンツ記録情報に記録されているコンテンツ導入要否情報が「不要」の場合には、コンテンツ導入用ハイブリッド記録媒体に記録されているコンテンツの導入は不要であるので、処理を終了する。
【００６０】
図２２は、図２０のステップＳ３２の処理（第２の記録媒体に記録されているコンテンツを導入する処理）のサブルーチンの一例を示すフローチャートである。
情報処理装置１のＣＰＵ１０は、図２０のステップＳ３１でコンテンツ導入用ハイブリッド記録媒体から必要に応じてコンテンツを導入した後、バージョンアップソフトウェアの手順に基づく処理によって第２の記録媒体からコンテンツの導入を行なう
すなわち、まずバージョンテーブル数が指し示すバージョンテーブル（最終位置）から利用者への最新バージョン通知目的で最新バージョン番号（最新バージョン情報）を取得する（Ｓ５１）。
【００６１】
次に、バージョンテーブルの最初に記録されているバージョン情報を取得するために、バージョンテーブルインデックスＮを「１」に設定する（Ｓ５２）。
なお、実際のプログラミングにおいて、バージョンテーブルインデックスＮは「０」から始まる（ことが多い）が、ここでは「１」の場合で説明する。
バージョンテーブルインデックスＮは「１」を指しているので、バージョンテーブルの１番目の位置に記録されているバージョン番号を取得した後（Ｓ５３）、表示部１２への表示によって利用者に該当バージョンのコンテンツが記録されている第２の記録媒体の装着を要求する（Ｓ５４）。
【００６２】
このとき、先に取得した最新バージョン情報と合わせて、例えば「最新バージョンＶｘにバージョンアップします。バージョンＶｎが記録されているディスクを装着してください。」等のメッセージを表示部１２に表示することによって利用者へ通知すると、利用者は非常に分かり易い。
装着された記録媒体が第２の記録媒体であるかどうかをＲＯＭ領域識別子が記録されているかどうかによってチェックし（Ｓ５５）、ＲＯＭ領域識別子が記録されていなければ、装着された記録媒体が第２の記録媒体でないと判断してステップＳ５４へ戻り、表示部１２への表示によって利用者に再度第２の記録媒体の装着を要求する。
【００６３】
ＲＯＭ領域識別子が記録されている場合には、装着された記録媒体が第２の記録媒体であると判断し、その第２の記録媒体に記録されている記録バージョンテーブルを参照するためのインデックスＭを「１」に設定する（Ｓ５６）。
次に、第２の記録媒体に記録されている記録バージョンテーブル数がＭよりも小さいかどうかをチェックし（Ｓ５７）、小さいと判断した場合、つまり第２の記録媒体に記録されている記録バージョンテーブルが終わりの場合には、ステップＳ５４へ戻り、表示部１２への表示によって利用者に別の第２の記録媒体の装着を要求する。
【００６４】
第２の記録媒体に記録されている記録バージョンテーブル数がＭ以上である場合には、コンテンツ記録情報で取得するバージョンテーブル（Ｎ）に記録されているバージョン番号と第２の記録媒体に記録されている記録バージョンテーブル（Ｍ）のバージョン番号とを比較し（Ｓ５７）、両バージョン番号が一致しなければ、次の記録バージョンテーブルからバージョン番号を取得するためにＭに「１」を加算した後（Ｓ５９）、ステップＳ５７経由でステップＳ５８へ移行し、再びコンテンツ記録情報で取得するバージョンテーブル（Ｎ）に記録されているバージョン番号と第２の記録媒体に記録されている記録バージョンテーブル（Ｍ）のバージョン番号とを比較する。
【００６５】
そして、両バージョン番号が一致した場合に、コンテンツの記録終了情報であるコンテンツ導入処理状態を「処理中」に設定して（Ｓ６０）、記録バージョンテーブル（Ｎ）に記録されているコンテンツ記録フォルダ名を取得して該当するコンテンツ記録フォルダに記録されている第２の導入ソフトウェアを起動する（Ｓ６１）。
次いで、第２の導入ソフトウェアの手順に基づく処理では、コンテンツ導入を完了すると、コンテンツ導入処理状態を「処理完了」に設定してくるので、第２の導入ソフトウェアによるコンテンツ導入が完了するのを待ち、コンテンツ導入処理状態が「処理完了」になったか否かを判断する（Ｓ６２）。
【００６６】
第２の導入ソフトウェアの手順に基づく処理によるコンテンツの導入が完了し、コンテンツ導入処理状態が「処理完了」になったら、次のバージョンテーブルからバージョン番号を取得するためにＮに「１」を加算する（Ｓ６３）。
次に、Ｎがバージョンテーブルに記録されているバージョン数を越えたかどうかをチェックし（Ｓ６４）、越えていないと判断すればステップＳ５９へ戻って上述と同様の処理を繰り返し、Ｎがバージョンテーブルに記録されているバージョン数を越えたと判断した時点で処理を終了する
【００６７】
図２３は、情報処理装置１のＣＰＵ１０が図２２のステップＳ６１で起動した第２の導入ソフトウェアの手順を実行した場合の処理の一例を示すフローチャートである。
情報処理装置１のＣＰＵ１０は、まず第２の記録媒体の起動されたフォルダ（コンテンツ記録フォルダ）に記録されているコンテンツを導入し（Ｓ７１）、第２の導入ソフトウェアの手順に基づく処理によるコンテンツ導入の完了を通知するためにコンテンツ導入処理状態を「処理完了」に設定し（Ｓ７２）、処理を終了する。
【００６８】
次に、コンテンツのバージョンアップについて、具体的に説明する。
利用者がコンテンツ導入用ハイブリッド記録媒体を情報処理装置１の記録再生部１５に装着し、コンテンツ記録ソフトウェアを起動することにより、コンテンツ提供者等が提供するコンテンツのバージョンアップ情報を参照し、コンテンツをバージョンアップすることを可能にする。
図２４は、情報処理装置１のＣＰＵ１０がコンテンツ記録ソフトウェアの手順を実行した場合の処理の一例を示すフローチャートである。
【００６９】
情報処理装置１のＣＰＵ１０は、まず表示部１２への表示によって利用者にコンテンツ導入用ハイブリッド記録媒体の装着を要求して、コンテンツ導入用ハイブリッド記録媒体が装着されたかどうかをチェックし（Ｓ８１）、装置されたと判断した場合に、そのコンテンツ導入用ハイブリッド記録媒体のＲＡＭ領域にコンテンツ記録情報が記録されているかどうかをチェックし（Ｓ８２）、コンテンツ記録情報が記録されていると判断すれば、コンテンツ記録情報を読み込み（Ｓ８３）、そのコンテンツ記録情報から最新コンテンツのバージョン番号である最新バージョン番号（最新バージョン情報）を取得し（Ｓ８４）、ステップＳ８５へ進む。
【００７０】
コンテンツ導入用ハイブリッド記録媒体のＲＡＭ領域にコンテンツ記録情報が記録されていないと判断した場合には、利用者によるコンテンツのバージョンアップはしていないと判断し、コンテンツ記録情報読み込み領域のコンテンツ導入要否情報を「要」でも「不要」でもない値（情報）に設定（セット）し（Ｓ９０）、コンテンツ記録情報読み込み先情報としてコンテンツ導入用ハイブリッド記録媒体を設定し（Ｓ９１）、空領域情報としてコンテンツ導入用ハイブリッド記録媒体のＲＡＭ領域の空領域からＲＡＭ領域拡張識別子の領域を差し引いた領域の値を設定した後（Ｓ９２）、ステップＳ８５へ進む。
ステップＳ８５では、コンテンツ提供者が提供する所定のインタネット上のアドレスに接続し、そのインタネット上から最新コンテンツのバージョン番号である最新バージョン番号を取得する。
【００７１】
次いで、コンテンツ導入用ハイブリッド記録媒体若しくは第２の記録媒体に記録されているコンテンツよりも新しいバージョンのコンテンツ（最新バージョンのコンテンツ）がインタネット上にあるかないかをチェックする（Ｓ８６）。
上記コンテンツ記録情報から最新バージョン番号を取得した場合には、その最新バージョン番号とインタネット上から取得した最新バージョン番号とを比較し、後者の最新バージョン番号の方が大きければ、インタネット上に最新バージョンのコンテンツがインタネット上にあると判断し、ステップＳ８７へ移行する。
【００７２】
ステップＳ８７では、インタネット上の最新バージョンのコンテンツとこれを導入するための第２の導入ソフトウェアをダウンロードする（Ｓ８７）。
そのダウンロードが完了すると、コンテンツ記録情報を生成若しくは更新して記録する処理を行った後（Ｓ８８）、ダウンロードした最新バージョンのコンテンツとそのバージョン番号（最新バージョン番号）とそのコンテンツを導入するための第２の導入ソフトウェアを第２の記録媒体に記録し（Ｓ８９）、処理を終了する。
インタネット上に当該情報処理装置１にない最新バージョンのコンテンツがないと判断した場合には、その旨とバージョンアップが不要である旨を表示部１２への表示によって利用者に通知し（Ｓ９３）、処理を終了する。
【００７３】
図２５は、図２４のステップＳ８３の処理（コンテンツ記録情報を読み込む処理）のサブルーチンの一例を示すフローチャートである。
情報処理装置１のＣＰＵ１０は、装着されたコンテンツ導入用ハイブリッド記録媒体のＲＡＭ領域にコンテンツ記録情報が記録されている場合、まずそのコンテンツ記録情報にＲＡＭ領域拡張識別子が記録されているかどうかをチェックし（Ｓ１０１）、ＲＡＭ領域拡張識別子が記録されていないと判断すれば、装着されたコンテンツ導入用ハイブリッド記録媒体のＲＡＭ領域に記録されているコンテンツ記録情報を読み込み（Ｓ１０２）、コンテンツ記録情報をどこから読み込んだかを示すコンテンツ記録情報読み込み先情報を装着されたコンテンツ導入用ハイブリッド記録媒体に設定する（Ｓ１０３）。
【００７４】
次いで、そのコンテンツ導入用ハイブリッド記録媒体のＲＡＭ領域の現在の空領域として、そのＲＡＭ領域の空領域からＲＡＭ領域拡張識別子の領域を差し引いた領域の値を空領域情報に設定し（Ｓ１０４）、処理を終了する。
装着されたコンテンツ導入用ハイブリッド記録媒体のＲＡＭ領域のコンテンツ記録情報にＲＡＭ領域拡張識別子が記録されていると判断した場合には、図１９によって説明した処理と同様にして第３の記録媒体に記録されているコンテンツ記録情報を読み込み（Ｓ２５５）、コンテンツ記録情報読み込み先情報を第３の記録媒体に設定し（Ｓ２５６）、第３の記録媒体の現在の空領域として、その第３の記録媒体の空領域からＲＡＭ領域拡張識別子の領域を引いた領域の値を空領域情報に設定し（Ｓ１０７）、処理を終了する。
【００７５】
図２６は、図２４のステップＳ８８の処理（コンテンツ記録情報を記録する処理）のサブルーチンの一例を示すフローチャートである。
情報処理装置１のＣＰＵ１０は、まずインタネット上からダウンロードしたコンテンツが差分型であるか否かをチェックし（Ｓ１１１）、差分型であると判断すればコンテンツ導入用ハイブリッド記録媒体若しくは第３の記録媒体（又は別の第３の記録媒体や更に別の第３の記録媒体など）にコンテンツ記録情報が記録されているか否かをチェックする（Ｓ１１２）。
【００７６】
そして、コンテンツ導入用ハイブリッド記録媒体若しくは第３の記録媒体にコンテンツ記録情報が記録されていないと判断した場合（コンテンツ記録情報読み込み領域のコンテンツ導入要否情報が「要」でも「不要」でもない値に設定されている場合）には、コンテンツ記録情報を新たに生成するもの（初めてのバージョンアップ）と判断し、コンテンツ導入用ハイブリッド記録媒体に記録されているコンテンツの導入が必要であるから、新たなコンテンツ記録情報のコンテンツ導入要否情報には「要」を設定し（Ｓ１１３）、バージョンテーブル数を「１」に設定した後（Ｓ１１４）、ステップＳ１１６へ移行する。
【００７７】
コンテンツ導入用ハイブリッド記録媒体若しくは第３の記録媒体にコンテンツ記録情報が既に記録されていると判断した場合には、そのコンテンツ記録情報のバージョンテーブル数に「１」を加算した後（Ｓ１１５）、ステップＳ１１６へ移行する。
インタネット上からダウンロードしたコンテンツが完結型であると判断した場合には、コンテンツ導入用ハイブリッド記録媒体に記録されているコンテンツの導入は不要であるから、コンテンツ導入用ハイブリッド記録媒体若しくは第３の記録媒体に記録されているコンテンツ記録情報のコンテンツ導入要否情報を「不要」に設定し（Ｓ１１８）、ここで記録される第２の記録媒体だけでコンテンツを最新バージョンにできることから、バージョンテーブル数を「１」に設定した後（Ｓ１１９）、ステップＳ１１６へ移行する。
【００７８】
ステップＳ１１６では、コンテンツ導入用ハイブリッド記録媒体若しくは第３の記録媒体に記録されているコンテンツ記録情報のバージョンテーブル数が指し示す位置にバージョン番号をバージョン情報として格納する。
その後、新たに生成若しくは更新されたコンテンツ記録情報をコンテンツ導入用ハイブリッド記録媒体若しくは第３の記録媒体に記録し（Ｓ１１７）、処理を終了する。
【００７９】
図２７は、図２６のステップＳ１１７の処理（新たに生成若しくは更新されたコンテンツ記録情報をコンテンツ導入用ハイブリッド記録媒体若しくは第３の記録媒体に記録する処理）のサブルーチンの一例を示すフローチャートである。
情報処理装置１のＣＰＵ１０は、まず図２５のステップＳ１０４若しくはＳ１０７で算出済みの空領域情報の方がこれから記録しようとするコンテンツ記録情報の容量よりも多く（Ｓ１２１）、図２５のステップＳ１０３若しくはＳ１０６で設定されたコンテンツ記録情報読み込み先情報が示すコンテンツ記録情報の読み込み先がハイブリッド記録媒体であれば（Ｓ１２２）、そのハイブリッド記録媒体のＲＡＭ領域にコンテンツ記録情報を記録して（Ｓ１３２）、処理を終了するが、コンテンツ記録情報読み込み先情報が示すコンテンツ記録情報の読み込み先が第３の記録媒体であれば、その第３の記録媒体の記録領域にコンテンツ記録情報を記録して（Ｓ１２８）、処理を終了する。
【００８０】
上記空領域情報の方がこれから記録しようとするコンテンツ記録情報の容量よりも少ないか等しく、コンテンツ記録情報読み込み先情報が示すコンテンツ記録情報の読み込み先がハイブリッド記録媒体であれば（Ｓ１２２）、そのハイブリッド記録媒体のＲＡＭ領域にＲＡＭ領域拡張識別子を記録し（Ｓ１２３）、コンテンツ記録情報読み込み先情報が示すコンテンツ記録情報の読み込み先が第３の記録媒体であれば、その第３の記録媒体の記録領域にＲＡＭ領域拡張識別子を記録し（Ｓ１２９）、その第３の記録媒体は保管不要になったことを通知する（Ｓ１３０）。例えば、「コンテンツ記録情報はこのあと別のディスクに記録します。このディスクの保管は不要です」等のメッセージを表示部１２に表示することにより、現在装着されている第３の記録媒体が保管不要になったことを利用者に通知すればよい。
【００８１】
ステップＳ１２３又はＳ１３０の処理が完了すると、新たにコンテンツ記録情報を記録するための第３の記録媒体の装着を利用者に要求する（Ｓ１２４）。このとき、例えば「コンテンツ記録情報が記録できる新しいディスクを装着してください」等のメッセージを表示部１２に表示することにより、新たにコンテンツ記録情報を記録するための第３の記録媒体の装着を利用者に要求するとよい。
その要求に対して、再び記録媒体が装着されると、その記録媒体（ディスク）にＲＡＭ領域識別子が記録されているか否かをチェックし（Ｓ１２５）、ＲＡＭ領域識別子が記録されていると判断すればステップＳ１２４へ戻り、新たにコンテンツ記録情報を記録するための別の第３の記録媒体の装着を利用者に要求し、ステップＳ１２５へ移行する。
【００８２】
装着された記録媒体にＲＡＭ領域識別子が記録されていないと判断した場合には、その記録媒体にＲＡＭ領域拡張識別子が記録されているか否かをチェックし（Ｓ１２６）、ＲＡＭ領域拡張識別子が記録されていると判断すればステップＳ１２４へ戻り、新たにコンテンツ記録情報を記録するための別の第３の記録媒体の装着を利用者に要求し、ステップＳ１２５へ移行する。
ステップＳ１２６で装着された記録媒体にＲＡＭ領域拡張識別子も記録されていないと判断した場合には、その記録媒体（新たな第３の記録媒体）の記録領域にＲＡＭ領域識別子を記録した後（Ｓ１２７）、コンテンツ記録情報を記録して（Ｓ１２８）、処理を終了する。なお、処理を終了する前に、例えば「このディスクに最新のコンテンツ記録情報を記録しました。再導入する時に必要となります。このディスクを大切に保管してください」等のメッセージを表示部１２に表示することにより、装着されている記録媒体の保管が必要である旨を利用者へ通知するとよい。
【００８３】
図２８は、図２４のステップＳ８９の処理（ダウンロードした最新バージョンのコンテンツとそのバージョン番号とそのコンテンツを導入するための第２の導入ソフトウェアを第２の記録媒体に記録する処理）のサブルーチンの一例を示すフローチャートである。
情報処理装置１のＣＰＵ１０は、まず記録媒体が装着されるのを待つ（Ｓ１４１）。このとき、例えば「バージョンアップされたコンテンツを記録している記録媒体を装着してください」等のメッセージを表示部１２に表示することにより、最新バージョンのコンテンツ（バージョンアップコンテンツ）が記録されている第２の記録媒体の装着を利用者に要求するとよい。
【００８４】
そして、記録媒体が装着されると、その記録媒体にＲＯＭ領域識別子が記録されているか否かをチェックし（Ｓ１４２）、ＲＯＭ領域識別子が記録されていないと判断すれば、利用者に対して装着された記録媒体にコンテンツを記録していいかどうかの確認を行なう（Ｓ１４３）。このとき、その確認用のメッセージ、例えば「装着された記録媒体にコンテンツを記録していいですか」のメッセージを表示部１２に表示するとよい。
その確認に対して、利用者によって入力部１３からコンテンツを記録してよい旨の情報が入力されると、装着された記録媒体にコンテンツを記録していいと判断し、その記録媒体（第２の記録媒体）にＲＯＭ領域識別子を記録する（Ｓ１４４）。
【００８５】
ステップＳ１４２で装着された記録媒体にＲＯＭ領域識別子が記録されていると判断した場合には、そのＲＯＭ領域識別子がコンテンツ導入用ハイブリッド記録媒体で提供されるコンテンツと関連付けされたＲＯＭ領域識別子であるか否かをチェックし（Ｓ１４５）、そのＲＯＭ領域識別子でないと判断した場合には、ステップＳ１４１へ戻り、再び記録媒体が装着されるのを待つ。このとき、例えば「装着された記録媒体には別のバージョンアップされたコンテンツが記録されています。新しい記録媒体か、このコンテンツのバージョンアップに使用した記録媒体を装着してください」等のメッセージを表示部１２に表示することにより、別の記録媒体の装着を利用者へ要求するとよい。
【００８６】
ステップＳ１４４で装着された記録媒体にＲＯＭ領域識別子を記録した後、あるいはステップＳ１４５で装着された記録媒体に記録されているＲＯＭ領域識別子がコンテンツ導入用ハイブリッド記録媒体で提供されるコンテンツと関連付けされたＲＯＭ領域識別子であると判断した場合には、装着された記録媒体つまりコンテンツを記録するための第２の記録媒体に記録バージョン情報を記録し（Ｓ１４６）、コンテンツと第２の導入ソフトウェアを記録するためのコンテンツ記録フォルダを生成した後（Ｓ１４７）、そのコンテンツ記録フォルダにダウンロードした第２の導入ソフトウェアおよび最新バージョンのコンテンツ（バージョンアップコンテンツ）を順次記録し（Ｓ１４８，Ｓ１４９）、処理を終了する。
【００８７】
図２９は、図２８のステップＳ１４６の処理（記録バージョン情報を記録する処理）のサブルーチンの一例を示すフローチャートである。
情報処理装置１のＣＰＵ１０は、まず装着された第２の記録媒体にＲＯＭ領域識別子が記録されているか否かをチェックし（Ｓ１５１）、ＲＯＭ領域識別子が記録されていないと判断すればＮ（記録バージョンテーブル数）を「１」に設定し（Ｓ１５２）、ＲＯＭ領域識別子が記録されていると判断すれば記録バージョン情報領域の記録バージョンテーブル数に「１」を加算した値をＮに設定する（Ｓ１５８）。
【００８８】
次に、記録バージョンテーブル数にＮを設定し（Ｓ１５３）、バージョン番号を記録バージョン（Ｎ）のバージョン番号に設定し（Ｓ１５４）、コンテンツを記録するコンテンツ記録フォルダ名を生成し（Ｓ１５５）、そのコンテンツ記録フォルダ名を記録バージョン（Ｎ）のコンテンツ記録フォルダ名に設定し（Ｓ１５６）、記録バージョン情報領域を記録バージョン情報として記録し（Ｓ２９８）、処理を終了する。
【産業上の利用可能性】
【００８９】
この発明は、ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，ＤＶＤ−ＲＡＭ等のコンピュータ読み取り可能な記録媒体に適用可能である。
【図面の簡単な説明】
【００９０】
【図１】この発明の一実施例であるコンテンツ導入用ハイブリッド記録媒体の構成を示す図である。
【図２】図１に示したコンテンツ導入用ハイブリッド記録媒体２を利用する情報処理装置の構成を示すブロック図である。
【図３】図１に示したコンテンツ導入用ハイブリッド記録媒体２のＲＡＭ領域２２に記録されるコンテンツ記録情報のフォーマット例を示す図である。
【００９１】
【図４】初めてのバージョンアップコンテンツが「差分型」だった場合の図１に示したコンテンツ導入用ハイブリッド記録媒体２のＲＡＭ領域２２に記録されるコンテンツ記録情報のデータ内容の一例を示す図である。
【図５】初めてのバージョンアップコンテンツが「完結型」だった場合の図１に示したコンテンツ導入用ハイブリッド記録媒体２のＲＡＭ領域２２に記録されるコンテンツ記録情報のデータ内容の一例を示す図である。
【図６】図１に示したコンテンツ導入用ハイブリッド記録媒体２のＲＡＭ領域２２に図４に示したコンテンツ記録情報が記録された後に更に差分型コンテンツでバージョンアップがあった場合に記録されるコンテンツ記録情報のデータ内容の一例を示す図である。
【００９２】
【図７】コンテンツ導入用ハイブリッド記録媒体２のＲＡＭ領域２２に図５に示したコンテンツ記録情報が記録された後に更に差分型コンテンツでバージョンアップがあった場合に記録されるコンテンツ記録情報のデータ内容の一例を示す図である。
【図８】図１に示したコンテンツ導入用ハイブリッド記録媒体２における詳細なデータ記録フォーマットの一例を示す図である。
【図９】図２に示した第２の記録媒体３における詳細なデータ記録フォーマットの一例を示す図である。
【００９３】
【図１０】図２に示した第２の記録媒体３における詳細なデータ記録フォーマットの他の例を示す図である。
【図１１】図１に示したコンテンツ導入用ハイブリッド記録媒体２のＲＡＭ領域にコンテンツ記録情報（ｉ）を記録できなかった場合のそのＲＡＭ領域におけるデータ内容の一例を示す図である。
【図１２】図２に示したコンテンツ導入用ハイブリッド記録媒体２のＲＡＭ領域にコンテンツ記録情報（ｉ）が記録できなくなった場合の第３の記録媒体４におけるデータ内容の一例を示す図である。
【００９４】
【図１３】図２に示した第３の記録媒体４の記録領域にコンテンツ記録情報（ｊ）を記録できなかった場合のその記憶領域におけるデータ内容の一例を示す図である。
【図１４】図２に示した第３の記録媒体４の記録領域にコンテンツ記録情報を記録できなくなった場合の別の第３の記録媒体４′の記録領域におけるデータ内容の一例を示す図である。
【図１５】別の第３の記録媒体４′の記録領域にコンテンツ記録情報を記録できなくなった場合のその記録領域におけるデータ内容の一例を示す図である。
【００９５】
【図１６】別の第３の記録媒体４′の記録領域にコンテンツ記録情報を記録できなくなった場合の更に別の第３の記録媒体４"の記録領域におけるデータ内容の一例を示す図である。
【図１７】図２に示した情報処理装置１のＣＰＵ１０がコンテンツ導入用ハイブリッド記録媒体のＲＯＭ領域に記録されている導入判定ソフトウェアの手順を実行した場合の処理の一例を示すフロー図である。
【図１８】同じく情報処理装置１のＣＰＵ１０が図１７のステップＳ２で起動した第１の導入ソフトウェアの手順を実行した場合の処理の一例を示すフロー図である。
【００９６】
【図１９】図１７のステップＳ７と図２５のステップＳ１０５の処理（第３の記録媒体からコンテンツ記録情報を読み込む処理）のサブルーチンの一例を示すフロー図である。
【図２０】図２に示した情報処理装置１のＣＰＵ１０が図１７のステップＳ６で起動したバージョンアップソフトウェアの手順を実行した場合の処理の概略例を示すフロー図である。
【図２１】図２０のステップＳ３１の処理（コンテンツ導入用ハイブリッド記録媒体に記録されているコンテンツを必要に応じて導入する処理）のサブルーチンの一例を示すフロー図である。
【００９７】
【図２２】図２０のステップＳ３２の処理（第２の記録媒体に記録されているコンテンツを導入する処理）のサブルーチンの一例を示すフロー図である。
【図２３】図２に示した情報処理装置１のＣＰＵ１０が図２２のステップＳ６１で起動した第２の導入ソフトウェアの手順を実行した場合の処理の一例を示すフロー図である。
【図２４】同じく情報処理装置１のＣＰＵ１０が図１７のステップＳ１で導入されたコンテンツ記録ソフトウェアの手順を実行した場合の処理の一例を示すフロー図である。
【００９８】
【図２５】図２４のステップＳ８３の処理（コンテンツ記録情報を読み込む処理）のサブルーチンの一例を示すフロー図である。
【図２６】図２４のステップＳ８８の処理（コンテンツ記録情報を記録する処理）のサブルーチンの一例を示すフロー図である。
【図２７】図２６のステップＳ１１７の処理（新たに生成若しくは更新されたコンテンツ記録情報をコンテンツ導入用ハイブリッド記録媒体若しくは第３の記録媒体に記録する処理）のサブルーチンの一例を示すフロー図である。
【００９９】
【図２８】図２４のステップＳ８９の処理（ダウンロードした最新バージョンのコンテンツとそのバージョン番号とそのコンテンツを導入するための第２の導入ソフトウェアを第２の記録媒体に記録する処理）のサブルーチンの一例を示すフロー図である。
【図２９】図２８のステップＳ１４６の処理（記録バージョン情報を記録する処理）のサブルーチンの一例を示すフロー図である。
【符号の説明】
【０１００】
１：情報処理装置    ２：コンテンツ導入用ハイブリッド記録媒体    ３：第２の記録媒体    ４：第３の記録媒体    １０：ＣＰＵ    １１：内部記録部    １２：表示部    １３：入力部    １４：記憶部    １５：記録再生部    １６：公衆回線接続部
【図１】
2005165903.tif 000003
【図２】
2005165903.tif 000004
【図３】
2005165903.tif 000005
【図４】
2005165903.tif 000006
【図５】
2005165903.tif 000007
【図６】
2005165903.tif 000008
【図７】
2005165903.tif 000009
【図８】
2005165903.tif 000010
【図９】
2005165903.tif 000011
【図１０】
2005165903.tif 000012
【図１１】
2005165903.tif 000013
【図１２】
2005165903.tif 000014
【図１３】
2005165903.tif 000015
【図１４】
2005165903.tif 000016
【図１５】
2005165903.tif 000017
【図１６】
2005165903.tif 000018
【図１７】
2005165903.tif 000019
【図１８】
2005165903.tif 000020
【図１９】
2005165903.tif 000021
【図２０】
2005165903.tif 000022
【図２１】
2005165903.tif 000023
【図２２】
2005165903.tif 000024
【図２３】
2005165903.tif 000025
【図２４】
2005165903.tif 000026
【図２５】
2005165903.tif 000027
【図２６】
2005165903.tif 000028
【図２７】
2005165903.tif 000029
【図２８】
2005165903.tif 000030
【図２９】
2005165903.tif 000031